【手続補正書】
【提出日】平成16年12月3日(2004.12.3)
【手続補正１】
【補正対象書類名】明細書
【補正対象項目名】発明の名称
【補正方法】変更
【補正の内容】
【発明の名称】液晶表示装置、並びにプロジェクター型及びリアプロジェクタ型液晶表示装置
【手続補正２】
【補正対象書類名】明細書
【補正対象項目名】特許請求の範囲
【補正方法】変更
【補正の内容】
【特許請求の範囲】
【請求項１】
画素電極ごとにスイッチング素子を有した画素マトリクス回路と、
前記画素マトリクス回路の走査線に接続された走査線駆動回路と、
前記画素マトリクス回路の信号線に接続された信号線駆動回路と、
映像信号を交流化し、交流化映像信号を前記走査線駆動回路に出力する映像信号処理回路と、
前記走査線駆動回路、前記信号線駆動回路及び前記映像信号処理回路の駆動を制御するための制御信号を作成するコントロール回路と、
を少なくとも備え、
前記映像信号処理回路において、前記交流化映像信号の出力端子に最も近い増幅器の出力には、ピーキング処理を行う回路が接続されていることを特徴とする液晶表示装置。
【請求項２】
画素電極ごとにスイッチング素子を有した画素マトリクス回路と、
前記画素マトリクス回路の走査線に接続された走査線駆動回路と、
前記画素マトリクス回路の信号線に接続された信号線駆動回路と、
映像信号を交流化し、交流化映像信号を前記走査線駆動回路に出力する映像信号処理回路と、
前記走査線駆動回路、前記信号線駆動回路及び前記映像信号処理回路の駆動を制御するための制御信号を作成するコントロール回路と、
を少なくとも備え、
前記映像信号処理回路において、前記交流化映像信号の出力端子に最も近い増幅器には、当該増幅器の帰還回路としてピーキング処理を行う回路が接続されていることを特徴とする液晶表示装置。
【請求項３】
請求項１又は請求項２において、前記コントロール回路の前記制御信号用の出力端子の少なくとも１つにおいて、当該端子に最も近い増幅器の出力にはピーキング処理を行う回路が接続されていることを特徴とする液晶表示装置。
【請求項４】
画素電極ごとにスイッチング素子を有した画素マトリクス回路と、
前記画素マトリクス回路の走査線に接続された走査線駆動回路と、
前記画素マトリクス回路の信号線に接続された信号線駆動回路と、
映像信号を交流化し、複数の交流化映像信号を前記走査線駆動回路に出力する映像信号処理回路と、
前記走査線駆動回路、前記信号線駆動回路及び前記映像信号処理回路の駆動を制御するための制御信号を作成するコントロール回路と、
を少なくとも備え、
前記複数の交流化映像信号は相互に反転関係にある２種類の交流信号でなり、前記映像信号処理回路において、前記複数の交流化映像信号の各出力端子に最も近い増幅器の出力には、ピーキング処理を行う回路が接続されていることを特徴とする液晶表示装置。
【請求項５】
画素電極ごとにスイッチング素子を有した画素マトリクス回路と、
前記画素マトリクス回路の走査線に接続された走査線駆動回路と、
前記画素マトリクス回路の信号線に接続された信号線駆動回路と、
映像信号を交流化し、複数の交流化映像信号を前記走査線駆動回路に出力する映像信号処理回路と、
前記走査線駆動回路、前記信号線駆動回路及び前記映像信号処理回路の駆動を制御するための制御信号を作成するコントロール回路と、
を少なくとも備え、
前記複数の交流化映像信号は相互に反転関係にある２種類の交流信号でなり、
前記映像信号処理回路において、前記複数の交流化映像信号の各出力端子に最も近い増幅器には、当該増幅器の帰還回路としてピーキング処理を行う回路が接続されていることを特徴とする液晶表示装置。
【請求項６】
請求項４又は請求項５において、前記コントロール回路の少なくとも１つの前記制御信号の出力端子において、当該端子に最も近い増幅器の出力には、ピーキング処理を行う回路が接続されていることを特徴とする液晶表示装置。
【請求項７】
請求項４乃至請求項６の任意の１項において、前記２種類の交流信号の極性はそれぞれ、前記走査線駆動回路の１水平走査期間ごとに極性が反転されていることを特徴とする液晶表示装置。
【請求項８】
請求項４乃至請求項６の任意の１項において、前記２種類の交流信号の極性はそれぞれ、１フレーム期間ごとに極性が反転されていることを特徴とする液晶表示装置。
【請求項９】
請求項４乃至請求項８の任意の１項において、前記映像信号はアナログ信号として前記映像信号処理回路に入力され、
前記映像信号処理回路において、前記映像信号をアナログ信号からデジタル信号に変換する処理を行い、デジタル信号に変換された前記映像信号を交流化することを特徴とする液晶表示装置。
【請求項１０】
投影光学系を備えたプロジェクター型の液晶表示装置であり、
画素電極ごとにスイッチング素子を有した画素マトリクス回路と、
前記画素マトリクス回路の走査線に接続された走査線駆動回路と、
前記画素マトリクス回路の信号線に接続された信号線駆動回路と、
映像信号を交流化し、交流化映像信号を前記走査線駆動回路に出力する映像信号処理回路と、
前記走査線駆動回路、前記信号線駆動回路及び前記映像信号処理回路の駆動を制御するための制御信号を作成するコントロール回路と、
を少なくとも備え、
前記映像信号処理回路において、前記交流化映像信号の出力端子に最も近い増幅器の出力には、ピーキング処理を行う回路が接続されていることを特徴とするプロジェクター型液晶表示装置。
【請求項１１】
投影光学系を備えたプロジェクター型の液晶表示装置であり、
画素電極ごとにスイッチング素子を有した画素マトリクス回路と、
前記画素マトリクス回路の走査線に接続された走査線駆動回路と、
前記画素マトリクス回路の信号線に接続された信号線駆動回路と、
映像信号を交流化し、交流化映像信号を前記走査線駆動回路に出力する映像信号処理回路と、
前記走査線駆動回路、前記信号線駆動回路及び前記映像信号処理回路の駆動を制御するための制御信号を作成するコントロール回路と、
を少なくとも備え、
前記映像信号処理回路において、前記交流化映像信号の出力端子に最も近い増幅器には、当該増幅器の帰還回路としてピーキング処理を行う回路が接続されていることを特徴とするプロジェクター型液晶表示装置。
【請求項１２】
請求項１０又は請求項１１において、前記コントロール回路の前記制御信号用の出力端子の少なくとも１つにおいて、当該端子に最も近い増幅器の出力にはピーキング処理を行う回路が接続されていることを特徴とするプロジェクター型液晶表示装置。
【請求項１３】
投影光学系を備えたプロジェクター型の液晶表示装置であり、
画素電極ごとにスイッチング素子を有した画素マトリクス回路と、
前記画素マトリクス回路の走査線に接続された走査線駆動回路と、
前記画素マトリクス回路の信号線に接続された信号線駆動回路と、
映像信号を交流化し、複数の交流化映像信号を前記走査線駆動回路に出力する映像信号処理回路と、
前記走査線駆動回路、前記信号線駆動回路及び前記映像信号処理回路の駆動を制御するための制御信号を作成するコントロール回路と、
を少なくとも備え、
前記複数の交流化映像信号は相互に反転関係にある２種類の交流信号でなり、前記映像信号処理回路において、前記複数の交流化映像信号の各出力端子に最も近い増幅器の出力には、ピーキング処理を行う回路が接続されていることを特徴とするプロジェクター型液晶表示装置。
【請求項１４】
投影光学系を備えたプロジェクター型の液晶表示装置であり、
画素電極ごとにスイッチング素子を有した画素マトリクス回路と、
前記画素マトリクス回路の走査線に接続された走査線駆動回路と、
前記画素マトリクス回路の信号線に接続された信号線駆動回路と、
映像信号を交流化し、複数の交流化映像信号を前記走査線駆動回路に出力する映像信号処理回路と、
前記走査線駆動回路、前記信号線駆動回路及び前記映像信号処理回路の駆動を制御するための制御信号を作成するコントロール回路と、
を少なくとも備え、
前記複数の交流化映像信号は相互に反転関係にある２種類の交流信号でなり、
前記映像信号処理回路において、前記複数の交流化映像信号の各出力端子に最も近い増幅器には、当該増幅器の帰還回路としてピーキング処理を行う回路が接続されていることを特徴とするプロジェクター型液晶表示装置。
【請求項１５】
請求項１３又は請求項１４において、前記コントロール回路の少なくとも１つの前記制御信号の出力端子において、当該端子に最も近い増幅器の出力には、ピーキング処理を行う回路が接続されていることを特徴とするプロジェクター型液晶表示装置。
【請求項１６】
請求項１３乃至請求項１５の任意の１項において、前記２種類の交流信号の極性はそれぞれ、前記走査線駆動回路の１水平走査期間ごとに極性が反転されていることを特徴とするプロジェクター型液晶表示装置。
【請求項１７】
請求項１３乃至請求項１５の任意の１項において、前記２種類の交流信号の極性はそれぞれ、１フレーム期間ごとに極性が反転されていることを特徴とするプロジェクター型液晶表示装置。
【請求項１８】
請求項１３乃至請求項１７の任意の１項において、前記映像信号はアナログ信号として前記映像信号処理回路に入力され、
前記映像信号処理回路において、前記映像信号をアナログ信号からデジタル信号に変換する処理を行い、デジタル信号に変換された前記映像信号を交流化することを特徴とするプロジェクター型液晶表示装置。
【請求項１９】
スクリーンと投影光学系とを本体に一体に備え、前記投影光学系により映像を前記スクリーン投影するリアプロジェクター型の液晶表示装置であり、
画素電極ごとにスイッチング素子を有した画素マトリクス回路と、
前記画素マトリクス回路の走査線に接続された走査線駆動回路と、
前記画素マトリクス回路の信号線に接続された信号線駆動回路と、
映像信号を交流化し、交流化映像信号を前記走査線駆動回路に出力する映像信号処理回路と、
前記走査線駆動回路、前記信号線駆動回路及び前記映像信号処理回路の駆動を制御するための制御信号を作成するコントロール回路と、
を少なくとも備え、
前記映像信号処理回路において、前記交流化映像信号の出力端子に最も近い増幅器の出力には、ピーキング処理を行う回路が接続されていることを特徴とするリアプロジェクター型液晶表示装置。
【請求項２０】
スクリーンと投影光学系とを本体中に一体に備え、前記投影光学系により映像を前記スクリーンの裏側から投影するリアプロジェクター型の液晶表示装置であり、
画素電極ごとにスイッチング素子を有した画素マトリクス回路と、
前記画素マトリクス回路の走査線に接続された走査線駆動回路と、
前記画素マトリクス回路の信号線に接続された信号線駆動回路と、
映像信号を交流化し、交流化映像信号を前記走査線駆動回路に出力する映像信号処理回路と、
前記走査線駆動回路、前記信号線駆動回路及び前記映像信号処理回路の駆動を制御するための制御信号を作成するコントロール回路と、
を少なくとも備え、
前記映像信号処理回路において、前記交流化映像信号の出力端子に最も近い増幅器には、当該増幅器の帰還回路としてピーキング処理を行う回路が接続されていることを特徴とするリアプロジェクター型液晶表示装置。
【請求項２１】
請求項１９又は請求項２０において、前記コントロール回路の前記制御信号用の出力端子の少なくとも１つにおいて、当該端子に最も近い増幅器の出力にはピーキング処理を行う回路が接続されていることを特徴とするリアプロジェクター型液晶表示装置。
【請求項２２】
スクリーンと投影光学系とを本体中に一体に備え、前記投影光学系により映像を前記スクリーンの裏側から投影するリアプロジェクター型の液晶表示装置であり、
画素電極ごとにスイッチング素子を有した画素マトリクス回路と、
前記画素マトリクス回路の走査線に接続された走査線駆動回路と、
前記画素マトリクス回路の信号線に接続された信号線駆動回路と、
映像信号を交流化し、複数の交流化映像信号を前記走査線駆動回路に出力する映像信号処理回路と、
前記走査線駆動回路、前記信号線駆動回路及び前記映像信号処理回路の駆動を制御するための制御信号を作成するコントロール回路と、
を少なくとも備え、
前記複数の交流化映像信号は相互に反転関係にある２種類の交流信号でなり、前記映像信号処理回路において、前記複数の交流化映像信号の各出力端子に最も近い増幅器の出力には、ピーキング処理を行う回路が接続されていることを特徴とするリアプロジェクター型液晶表示装置。
【請求項２３】
スクリーンと投影光学系とを本体中に一体に備え、前記投影光学系により映像を前記スクリーンの裏側から投影するリアプロジェクター型の液晶表示装置であり、
画素電極ごとにスイッチング素子を有した画素マトリクス回路と、
前記画素マトリクス回路の走査線に接続された走査線駆動回路と、
前記画素マトリクス回路の信号線に接続された信号線駆動回路と、
映像信号を交流化し、複数の交流化映像信号を前記走査線駆動回路に出力する映像信号処理回路と、
前記走査線駆動回路、前記信号線駆動回路及び前記映像信号処理回路の駆動を制御するための制御信号を作成するコントロール回路と、
を少なくとも備え、
前記複数の交流化映像信号は相互に反転関係にある２種類の交流信号でなり、
前記映像信号処理回路において、前記複数の交流化映像信号の各出力端子に最も近い増幅器には、当該増幅器の帰還回路としてピーキング処理を行う回路が接続されていることを特徴とするリアプロジェクター型液晶表示装置。
【請求項２４】
請求項２２又は請求項２３において、前記コントロール回路の少なくとも１つの前記制御信号の出力端子において、当該端子に最も近い増幅器の出力には、ピーキング処理を行う回路が接続されていることを特徴とするリアプロジェクター型液晶表示装置。
【請求項２５】
請求項２２乃至請求項２４の任意の１項において、前記２種類の交流信号の極性はそれぞれ、前記走査線駆動回路の１水平走査期間ごとに極性が反転されていることを特徴とするリアプロジェクター型液晶表示装置。
【請求項２６】
請求項２２乃至請求項２４の任意の１項において、前記２種類の交流信号の極性はそれぞれ、１フレーム期間ごとに極性が反転されていることを特徴とするリアプロジェクター型液晶表示装置。
【請求項２７】
請求項２２乃至請求項２６の任意の１項において、前記映像信号はアナログ信号として前記映像信号処理回路に入力され、
前記映像信号処理回路において、前記映像信号をアナログ信号からデジタル信号に変換する処理を行い、デジタル信号に変換された前記映像信号を交流化することを特徴とするリアプロジェクター型液晶表示装置。
【請求項２８】
請求項１乃至請求項９の任意の１項において、前記画素マトリクス回路、前記走査線駆動回路及び前記信号線駆動回路は、ＴＦＴを用いて同一の基板上に作製されていることを特徴とする液晶表示装置。
【請求項２９】
請求項１０乃至請求項１８の任意の１項において、前記画素マトリクス回路、前記走査線駆動回路及び前記信号線駆動回路は、ＴＦＴを用いて同一の基板上に作製されていることを特徴とするプロジェクター型液晶表示装置。
【請求項３０】
請求項１９乃至請求項２７の任意の１項において、前記画素マトリクス回路、前記走査線駆動回路及び前記信号線駆動回路は、ＴＦＴを用いて同一の基板上に作製されていることを特徴とするリアプロジェクター型液晶表示装置。
【手続補正３】
【補正対象書類名】明細書
【補正対象項目名】００２４
【補正方法】変更
【補正の内容】
【００２４】
映像信号処理回路１１０、コントロール回路１２０等は、液晶パネル１００と異なる基板、例えば別のプリント基板に実装されており、当該基板上の回路と液晶パネル１００の回路とは、ケーブルやフレキシブル配線板等によって接続されている。なお、映像信号処理回路１１０、コントロール回路１２０等の周辺回路の一部または全部を液晶パネルと同一基板に設ける構成とすれば集積化が図れるため、好ましいことはいうまでもない。
【手続補正４】
【補正対象書類名】明細書
【補正対象項目名】００２９
【補正方法】変更
【補正の内容】
【００２９】
この入力映像信号２１０に対応するように、画素マトリクス回路１０１には、異なる３つの色、赤、緑および青に対応するＲ、Ｇ、Ｂの画素がパネルの横方向（水平方向）に順次繰り返し並べて画素行が構成され、縦方向（垂直方向）に画素列が構成されている。例えば、画素マトリクス回路１０１が横1024画素、縦768画素で構成されているとすると、１画面の映像信号は、横1024画素の情報信号を有する１つの横方向ラインが、それぞれ縦方向ラインの数（768列）だけ連続している信号で構成されている。通常、入力映像信号２１０はＣＲＴに対応した信号であり、液晶パネル表示に適した信号ではないので、映像信号処理回路１１０では液晶パネルの表示特性に合わせて、入力映像信号２１０に様々な信号処理を行う。
【手続補正５】
【補正対象書類名】明細書
【補正対象項目名】００５２
【補正方法】変更
【補正の内容】
【００５２】
コントロール回路（制御回路）３２０は、入力された同期信号４００に基づき、液晶パネルの駆動に必要なパルス信号（スタートパルス、クロックパルス、同期信号、極性反転信号等）を作成し、出力する。ソースドライバ回路３０５には第１及び第２のＳＰＤ４０１と４０２、第１及び第２のＣＬＤ４０３と４０４が入力される。ゲートドライバ回路３０４にはＳＰＳ４０５とＣＬＳ４０７が入力される。映像信号処理回路３１０にはＦＲＰ４０７が入力される。
【手続補正６】
【補正対象書類名】明細書
【補正対象項目名】００５４
【補正方法】変更
【補正の内容】
【００５４】
本実施例の映像信号処理回路３１０は、Ａ／Ｄ変換回路３１１と、補正回路３１２とを有する。補正回路３１２の映像信号用の出力信号線は２系統有り、出力信号線それぞれにはＤ／Ａ変換回路３１３、３１４が接続されている。Ｄ／Ａ変換回路３１３、３１４の出力にはそれぞれ増幅回路３１５、３１６が接続されている。
【手続補正７】
【補正対象書類名】明細書
【補正対象項目名】００６１
【補正方法】変更
【補正の内容】
【００６１】
本実施例では、第１及び第２の交流化映像信号４１１、４１２の位相のずれが生じるのを防ぐために、信号線（２本）と相当数のＤ／Ａ変換回路（２つ）および増幅回路（２つ）を用いたが、回路の配置が許す限り、Ｄ／Ａ変換回路および増幅回路の数を４、６、８、．．．、２ｎ（ｎは正の整数）としてもよい。
【手続補正８】
【補正対象書類名】図面
【補正対象項目名】図４
【補正方法】変更
【補正の内容】
【図４】
1999305743.tif 000001
【手続補正９】
【補正対象書類名】図面
【補正対象項目名】図１１
【補正方法】変更
【補正の内容】
【図１１】
1999305743.tif 000002